(57)【要約】      （修正有）【課題】多数の端末装置を接続しても安定した通信を行なうことができるＰＬＣ通信を用いたネットワークシステムにおける伝送路の接続構造を提供する。【解決手段】ＰＬＣ親機モデムと、ＰＬＣ親機モデムに接続された第１の分岐アダプタの分岐後ポートのそれぞれに通信線を介して接続したＰＬＣ中継機と、ＰＬＣ中継機の電力線接続ポートを接続したフロア入口分電盤３ｂと、フロア入口分電盤３ｂから電力線を介在させて端末装置を接続したＰＬＣ子機モデムとを備えた伝送路であって、ＰＬＣ中継機の電力線接続ポートを、分電盤３ｂの分岐点の配列の中点位置に接続する。【選択図】図９
2010028563.tif 000002
【特許請求の範囲】
【請求項１】
ＰＬＣ親機モデムと、前記ＰＬＣ親機モデムに接続された第１の分岐アダプタの分岐後ポートのそれぞれに通信線を介して接続したＰＬＣ中継機と、前記ＰＬＣ中継機の電力線接続ポートを接続したフロア入口分電盤と、前記フロア入口分電盤から電力線を介して接続したＰＬＣ子機モデムと、前記ＰＬＣ子機モデムに接続された端末装置と、を備えたＰＬＣ通信を用いたネットワークシステムにおける伝送路の接続構造であって、
前記ＰＬＣ中継機の電力線接続ポートを、前記フロア入口分電盤の分岐点の中点位置に接続したことを特徴とするＰＬＣ通信用伝送路の接続構造。
【請求項２】
前記フロア入口分電盤から前記電力線を介在させて接続された第２の分岐アダプタを備え、前記ＰＬＣ子機モデムは、前記第２の分岐アダプタの分岐後ポートに接続されていることを特徴とする請求項１に記載のＰＬＣ通信用伝送路の接続構造。
【請求項３】
前記第１及び第２の分岐アダプタは、複数の高周波用トランスがブリッジ回路を構成するように接続した回路を備え、前記ブリッジ回路を構成する高周波用トランスの一次側が前記ＰＬＣ子機モデム等の外部機器を接続する前記分岐前ポート又は前記分岐後ポートとされていることを特徴とする請求項１又は請求項２に記載のＰＬＣ通信用伝送路の接続構造。
【発明の詳細な説明】
【技術分野】
【０００１】
本発明は、ＰＬＣ親機モデムと、端末装置を接続した多数のＰＬＣ子機モデムとをＰＬＣ中継機を介して伝送路上に接続したＰＬＣ通信を用いた伝送路において、その伝送路の接続構造に関するものである。
【背景技術】
【０００２】
電力を供給する電力線にデータ伝送を行なうための信号を重畳して通信を行なう、いわゆるＰＬＣ（Power Line Communication）の技術を用いたネットワークシステムが実用化されている。ＰＬＣを用いた通信の基本的な技術は、データ伝送を行なうデジタル信号をアナログ高周波信号に変調し、この変調処理を行なって得たアナログ高周波信号を、交流電力を流す電力線に重畳して電力線に送出すること、及び電力線に重畳されたアナログ高周波信号を分離してデジタル信号に復調する処理を行ない、このデジタル信号を端末装置に送出することにある。これらの処理を行なう通信装置として、ＰＬＣモデムが使用されている。そして、このＰＬＣモデムに各種の端末装置を接続した各種のネットワークシステムが提案され、実用化されている。
【０００３】
ＰＬＣモデムを用いたネットワークシステム、特に、多数の端末装置を接続したシステムについては、下記の特許文献１及び特許文献２に記載れているように、ネットワークを構成する各端末装置にＰＬＣモデム（以下、「ＰＬＣ子機モデム」という）を接続するとともに、これらＰＬＣ子機モデムの動作を制御するＰＬＣモデム（以下、「ＰＬＣ親機モデム」という）を、電力線を介して接続したシステムが提案されている。
【０００４】
また、非特許文献１には、集合住宅棟内におけるＰＬＣモデムを用いたネットワークシステム例が記載されている。このシステム例においては、集合住宅の受電設備を構成する変圧器にＰＬＣ親機モデムを接続し、この変圧器から各戸に配線した電力線は各戸に設置された分電盤に接続されているので、この分電盤から各部屋に配線された電力線にＰＬＣ子機モデムを接続した例が示されている。
【０００５】
さらに、ＰＬＣ通信を用いたネットワークシステムにおいて、通信の信頼性を確保するための技術として、例えば、下記特許文献３に記載れているように、ネットワークシステム内にＰＬＣ中継機を配置し、このＰＬＣ中継機を介してＰＬＣ子機モデムを接続することが提案されている。
【０００６】
また、下記特許文献４には、遊技ホールの一元監視・管理システムとして各遊技ホール内の情報を送受信する島ネットワークと、各遊技ホール、各種管理端末（サーバ／クライアント）、認証局端末（サーバ／クライアント）の相互の情報を送受信する遊技ホール外のグローバルネットワークとからなる２階層ネットワークが提案されている。さらに、特許文献４には、この島ネットワークに接続されている遊技機と島コンピュータに供給される商用１００Ｖ又は２００Ｖの電力線に、情報信号を高周波信号として重畳し、また電力線に高周波重畳された情報信号を分離する電力線重畳信号変復調手段を付加するこが記載されている。
【０００７】
【特許文献１】特開２００８−４２６２３号公報
【特許文献２】特開２００８−７２５７９号公報
【特許文献３】特開２００５−２８６６３１号公報
【特許文献４】特開２００７−４４２１７号公報
【非特許文献１】株式会社オーム社、高速電力線通信システム（ＰＬＣ）とＥＭＣ、第２６頁〜第２７頁、図２．５、平成１９年１１月２０日発行
【発明の開示】
【発明が解決しようとする課題】
【０００８】
一つの建屋やビル等にＰＬＣ通信を用いたネットワークシステムを構築し、このネットワークシステムに多数の端末装置、例えば、２０００台以上（最大２４００台程度）を超えるような端末装置を接続した大規模なネットワークシステムを安定して稼働させるためには、下記の課題を解決する必要がある。
【０００９】
（１）分岐によるロスを低減させることが第１の課題になる。多数の端末装置を備えている大規模システムにおいては、データ伝送を行なう伝送路となる電力線を分電盤により多数に分岐する必要が生じるが、その分岐数が増大すると分岐に伴う損失（ロス）も大になる。また、ネットワークシステムに接続された多数の端末装置からはノイズが発生し、このノイズは伝送路となる電力線に入り込んで通信の信頼性を低下させる。このため、ＰＬＣ通信においては、ＰＬＣ親機モデムとＰＬＣ子機モデム間の伝送路によるロスを６０ｄＢ以下にする必要があると考えられる。
【００１０】
この第１の課題を解決するためには、特許文献１、２及び３に記載されているようにＰＬＣ親機モデムの制御に基づいてＰＬＣ子機モデムの動作を制御する方式、あるいはＰＬＣ中継機を採用することが望ましい。しかしながら、特許文献１、２及び３には、最大２４００台という多数の端末装置を接続したＰＬＣ通信を用いたネットワークシステムについて、第１の課題である分岐によるロスを低減させるための具体的な手段については開示されていない。
【００１１】
（２）ネットワークシステム内における通信の最大実効速度を確保して、ＰＬＣ親機モデムとＰＬＣ子機モデム間の高速な応答と、安定した通信を如何に確保するかが第２の課題になる。通信の実効速度を確保する手段として、従来からＣＳＭＡ−ＣＡ方式が採用されている。ＣＳＭＡ−ＣＡ方式は、キャリアセンスに基づいて多元接続が行われるため、高速応答、ならびに高速伝送が可能である。しかし、端末装置を多数接続したシステムでは雑音が多くなるので、ＣＳＭＡ−ＣＡ方式は安定したキャリアセンスが行われなくなり、安定した通信の実現が困難になる。
【００１２】
多数の端末装置を接続したネットワークシステムにおいて、安定した通信を行なうためには、ＰＬＣ親機モデムのポーリング処理により呼ばれたＰＬＣ子機モデムが応答するポーリング方式が適しているが、ＰＬＣ子機モデムの応答時間はＰＬＣ親機モデムのポーリング周期によって決定されるため、高速応答は不可能になる。上記した特許文献１、２及び特許文献３にも、多数の端末装置を接続したネットワークシステムにおいて、第２の課題である最大実効速度と安定した通信を確保するために、ネットワークの伝送路の構成や伝送路を多数に分岐する手段については開示されていない。
【００１３】
そこで、本発明の目的は、ＰＬＣ通信を用いたネットワークシステムにおいて、上記した課題を解決して最大２４００台という多数の端末装置をこのネットワークシステムに接続しても、安定、かつ高い実効速度を得ることができるネットワークの伝送路の接続構造を提供することにある。
【課題を解決するための手段】
【００１４】
上記した課題を解決するために、請求項１に記載の発明は、ＰＬＣ親機モデムと、前記ＰＬＣ親機モデムに接続された第１の分岐アダプタの分岐後ポートのそれぞれに通信線を介して接続したＰＬＣ中継機と、前記ＰＬＣ中継機の電力線接続ポートを接続したフロア入口分電盤と、前記フロア入口分電盤から電力線を介して接続したＰＬＣ子機モデムと、前記ＰＬＣ子機モデムに接続された端末装置と、を備えたＰＬＣ通信用伝送路の接続構造であって、
前記ＰＬＣ中継機の電力線接続ポートを、前記フロア入口分電盤の分岐点の中点位置に接続したことを特徴としている。
【００１５】
また、請求項２に記載の発明は、請求項１に記載のＰＬＣ通信用伝送路の接続構造に係り、前記フロア入口分電盤から前記電力線を介在させて接続された第２の分岐アダプタを備え、前記ＰＬＣ子機モデムは、前記第２の分岐アダプタの分岐後ポートに接続されていることを特徴としている。
【００１６】
また、請求項３に記載の発明は、請求項１又は請求項２に記載のＰＬＣ通信用伝送路の接続構造に係り、前記第１及び第２の分岐アダプタは、複数の高周波用トランスがブリッジ回路を構成するように接続した回路を備え、前記ブリッジ回路を構成する高周波用トランスの一次側が前記ＰＬＣ子機モデム等の外部機器を接続する前記分岐前ポート又は前記分岐後ポートとされていることを特徴としている。
【発明の効果】
【００１７】
本発明によれば、フロア入口分電盤のＡ相（同相）とＢ相（逆相）のそれぞれの分岐の中点位置に、ＰＬＣ中継機１６を接続しているので、フロア入口分電盤の分岐ロスを最小化することが可能になり、かつ、ＰＬＣ中継機と電力線を介在させて接続されるＰＬＣ子機モデムは、同相と逆相とが接続されたＰＬＣ子機モデム９が混在すること（逆相接続）がなくなるので、逆相接続に伴うロスをなくしたＰＬＣ通信を用いたネットワークシステムの伝送路の接続構造を提供することが可能になる。
【００１８】
さらに、本発明は、フロア入口分電盤から電力線を介在させて接続された第２の分岐アダプタを備え、ＰＬＣ子機モデムをこの第２の分岐アダプタの分岐後ポートに接続した接続構造としているので、伝送路を多数に分岐しても安定したＰＬＣ通信を行なうことができる伝送路を提供することができる。
【発明を実施するための最良の形態】
【００１９】
本発明を適用するＰＬＣ通信を用いたネットワークシステムは、１台のＰＬＣ親機モデムと、各端末装置の通信ポートに接続されたＰＬＣ子機モデムとの間に、複数のＰＬＣ中継機を介在させ、これらＰＬＣ親機モデムとＰＬＣ中継機とＰＬＣ子機モデムとを繋ぐ伝送路は、電力線や通信線を使用したネットワーク構成としている。さらに、このネットワーク構成は、１台のＰＬＣ親機モデムの制御配下に複数のＰＬＣ中継機を設置し、このＰＬＣ中継機の制御配下に多数のＰＬＣ子機モデムを設置した構成とするとともに、ＰＬＣ親機モデムは、サーバを備えた既設又は新設の上位管理システムにも接続可能にした構成にしている。
【００２０】
このように、多数の端末装置を接続したネットワークシステムを実現するために、ＰＬＣ親機モデムを第１の分岐アダプタの分岐前ポートに接続し、この第１の分岐アダプタの各分岐後ポートにＰＬＣ中継機を接続した構成にしている。さらに、このＰＬＣ中継機の電力線接続ポートをフロア入口分電盤に接続し、このフロア入口分電盤からＰＬＣ子機モデムを繋ぐ伝送路に第２の分岐アダプタを設け、この第２の分岐アダプタの各分岐後ポートに、端末装置を接続したＰＬＣ子機モデムを接続した構成にすることにより、ネットワークに最大２４００台という多数の端末装置を接続可能にしている。また、ＰＬＣ親機モデムは、ＰＬＣ中継機を介してＰＬＣ子機モデムと通信を行なうために、ポーリング制御を実施するようにしている。このポーリング制御を実施するために、ＰＬＣ親機モデムは、所定の時間間隔、例えば、１０ｍｓ〜５０ｍｓ間隔で基準となるマスタクロック信号（以下、「同期信号」という）をＰＬＣ中継機に伝送する機能を備えている。
【００２１】
上記した構成のＰＬＣ通信を用いたネットワークシステムにおいては、ＰＬＣ親機モデム、ＰＬＣ中継機及びＰＬＣ子機モデムは、次の１）〜４）に記載の手順でポーリング制御を実施する。
【００２２】
１）ＰＬＣ親機モデムは、基準となる同期信号（第１の同期信号）を所定の時間間隔でＰＬＣ中継機に送出（伝送）送信する。そして、ＰＬＣ中継機はこの第１の同期信号に同期し、ＰＬＣ親機モデムと同期確立している状態で、新たな第２の同期信号を制御配下のＰＬＣ子機モデムに送信する。ＰＬＣ子機モデムは、この第２の同期信号を受信してＰＬＣ中継機に同期する。これにより、ＰＬＣ中継機は既にＰＬＣ親機モデムに同期しているので、ＰＬＣ親機モデムとＰＬＣ中継機とＰＬＣ子機モデムの全てが、ＰＬＣ親機モデムの基準信号となる第１の同期信号に同期する。このように、各ＰＬＣ中継機とＰＬＣ子機モデムは、ＰＬＣ親機モデムの第１の同期信号に同期した状態で、ＰＬＣ親機モデムのポーリング制御に従って動作する。
【００２３】
２）上記１）に記載のＰＬＣ親機モデムとＰＬＣ中継機とＰＬＣ子機モデムの全てがＰＬＣ親機モデムの第１の同期信号に同期している条件の基に、データ伝送を行なうためのマスタフレームを設定する。このマスタフレームには、第１の同期信号を伝送する第１の同期信号送信帯域と、第２の同期信号を送信する第２の同期信号送信帯域と、特定中継機帯域と、ＰＬＣ子機モデムがＰＬＣ中継機に緊急通報に係る情報を伝送するための緊急通報帯域と、ユーザデータ伝送帯域を設定している。
【００２４】
上記した第１の同期信号送信帯域は、第１の同期信号とＰＬＣ親機モデムがポーリングテーブルを参照して得たポーリング制御を行なうための送信権情報とを、ＰＬＣ親機モデムからＰＬＣ中継機モデムに転送するために使用する。また、特定中継機帯域は、ＰＬＣ中継機がＰＬＣ親機モデムより受信した送信権情報をＰＬＣ子機モデムへ転送するために使用する。これにより、ＰＬＣ親機モデム、ＰＬＣ中継機、ＰＬＣ子機モデムは同一の時間軸上で同一の送信権情報を共有できるようにしている。
なお、上記した送信権情報とは、例えば、ＰＬＣ親機モデムとＰＬＣ中継機間で通信（伝送）を行なうときにデータ伝送を行なう権利（送信権）を示す。
【００２５】
３）さらに、上記したマスタフレームに設定したユーザデータ伝送帯域は、ＰＬＣ親機モデムとＰＬＣ中継機とＰＬＣ子機がユーザデータの伝送を行なうための共通の帯域としている。このユーザデータとは、端末装置を接続しているＰＬＣ子機モデムがこの端末装置から取得した情報等を示す。さらに、このユーザデータとしては、ＰＬＣ通信を用いたネットワークに接続されている上位の管理システムが備えているサーバ等からＰＬＣ親機モデムに送信指示される下り方向のユーザデータも含む。
【００２６】
４）また、ＰＬＣ親機モデムとＰＬＣ中継機との通信は、第１の同期信号に同期させて、ＰＬＣ親機モデムが予め設定したポーリングテーブルを参照して、ＰＬＣ中継機をポーリングする通信手段を採用している。さらに、ＰＬＣ中継機とこのＰＬＣ中継機に接続されたＰＬＣ子機モデムへの第２の同期信号の伝送は、ＰＬＣ親機モデムから伝送された第１の同期信号に同期させて発生させたこの第２の同期信号を、周波数多重化伝送に符号多重手段を付加したＯＦＤＭ（Orthogonal Frequency Division Multiplexing）方式によりＰＬＣ子機モデムに伝送可能としている。これにより、ＰＬＣ親機モデムとＰＬＣ中継機とＰＬＣ子機モデムは、同じ時間軸上でＰＬＣ親機モデムが伝送する第１の同期信号に同期を確立した状態で通信を行なうようにしている。
【００２７】
続いて、本発明のＰＬＣ通信を用いたネットワークシステムにおける伝送路の接続構造に係る実施形態について説明する。本発明は、多数の端末装置、例えば、大規模遊技ホールにおいて、２０００台以上（最大２４００台程度）のパチンコ遊技機、あるいはパチンコ遊技機とパチスロ遊技機等の端末装置を接続したＰＬＣ通信を用いたネットワークシステムの伝送路に適用して効果を発揮することができる。以下の本発明の実施形態の説明は、本発明を大規模遊技ホールに適用した場合を例にして説明する。
【００２８】
まず、大規模な遊技ホールにおけるＰＬＣ通信を用いたネットワークシステムの構成例について説明する。
このような大規模な遊技ホールにおいては、各フロアの状況を監視するための監視室が設置されており、この監視室にはサーバ（店舗サーバ）を備えたＬＡＮ（local Area Network）システムが配設されている。本発明のＰＬＣ通信を用いたネットワークシステムは、このサーバを備えたＬＡＮシステム（以下、「上位管理システム」という）にも接続可能としている。なお、以下の説明において、ＰＬＣ子機モデムに接続する端末装置はパチンコ遊技機、あるいはパチスロ遊技機（以下、「遊技機」という）として説明する。
【００２９】
［システム構成］
続いて、本発明を適用するためのＰＬＣ通信を用いたネットワークシステムの構成例を、図１〜図３に基づいて説明する。
図１〜図３は、多数のパチンコ遊技機等の遊技機を設置した遊技ホールにおけるネットワークシステムの構成例を示す図である。なお、図１は遊技ホールのＰＬＣ通信を用いたネットワークシステムについて、その全体のシステム構成例を示す図、図２は遊技ホールの受電設備から各フロア用の分電盤（以下、「フロア入口分電盤」という）までの電力線の経路と、このフロア入口分電盤から遊技機までの電力線を含む伝送路の経路例を示す図、図３は遊技ホールを３階建ての建屋としたときのネットワークシステムの構成例を示す図である。
【００３０】
大規模な遊技ホール、例えば、２０００台以上（最大２４００台程度）のパチンコ遊技機やパチスロ遊技機を設置した遊技ホールは、３〜５階建て等の複数のフロア（床）を備えた建屋から構成される場合がある。各フロアには、多数のパチンコ機が列状に、いわゆる「遊技機島」単位で配置されるとともに、この「遊技機島」がフロアの横方向又は縦方向に複数列にわたって配列されている。このような建屋においては、多数の遊技機や各フロアに設置されている各種の設備や照明機器に電源を供給するための受電設備（Ａ）が屋上（又は地下室）に設置されている。
【００３１】
図１に示すように、受電設備（Ａ）には高圧線によりＡＣ６．６ＫＶが導かれ、変圧器１によりＡＣ１００Ｖ（又は２００Ｖ）に変換される。そして、この変換されたＡＣ１００Ｖの電源は、例えば、６分岐の分電盤２により分岐されて、電力線４ａを介し複数のフロア入口分電盤３ａ、３ｂ、３ｃ、・・・に供給される。複数のフロア入口分電盤３ａ、３ｂ、３ｃ、・・・は、所定のフロア（図１に示す例ではフロア（ＢＩ））に設けられた分電盤室（例えば、図３に示す分電盤室（Ｆ））に纏めて設置される。これらのフロア入口分電盤３ａ、３ｂ、３ｃ、・・・は、例えば３２分岐の分電盤から構成される。また、フロア入口分電盤３ａ、３ｂ、３ｃ、・・・は、フロアごとに、さらに各フロアに設置されている遊技機、照明機器、その他機器に電源を供給する分電盤として、その用途を区別して設置されている場合もある。
【００３２】
図３に示す遊技ホールの建屋例では、フロア（Ｂ１）に分電盤室（Ｆ）とホール内監視室（Ｄ）が設置されている例を示している。また、図３に示すように、通常の遊技ホールにおいて遊技機８が設置されているフロアには、２台の遊技機８を向かい合わせに所定の間隔（以下、「島内隙間」という）をおいて配置するとともに、これら向かい合わせて配置した遊技機８を横方向に複数配列した、いわゆる「遊技機島」を構成し、これら複数の遊技機島Ｃ１、Ｃ２、Ｃ３、・・・をフロアの縦（横）方向、または縦横方向に通路を介して複数配列させたレイアウトを備えている。上記した島内隙間には、図１に示す遊技機８に遊技球を供給する装置等が設置されている。
【００３３】
遊技機島Ｃ１、Ｃ２、Ｃ３、・・・の島内隙間であって遊技機島の長手方向の中央部付近に、例えば、３２分岐の島分電盤５を設置する。なお、島分電盤５は、既設の島分電盤を使用してもよい。これら各島分電盤５は、分電盤室（Ｆ）の遊技機用のフロア入口分電盤３ｂ、３ｃ、・・から天井又は床下を経由した電力線４ｂにより接続されている。さらに、各遊技機島Ｃ１等に設置されている島分電盤５から分岐させた電力線４ｃは、図２に示すように、各遊技機島の島内隙間に所定の間隔を設けて設置したコンセントＣｎ１、Ｃｎ２、・・・に接続する。
【００３４】
そして、図２に示すように、例えば、遊技機島内に設置したコンセントＣｎ１〜Ｃｎ３、・・・のそれぞれには第２の分岐アダプタ７の分岐前ポートを接続し、第２の分岐アダプタの分岐後ポートにはＰＬＣ子機モデム９を通信線１０ｄを介して接続する。図２に示す例においては、第２の分岐アダプタ７は、４つの分岐後ポートを備えた４分岐アダプタであって、これら各分岐後ポートに１台のＰＬＣ子機モデム９を接続した例を示している。
【００３５】
さらに、ＰＬＣ子機モデム９のＲＳ２３２ＣＩ／Ｆポートを、図１（図２）に示すように、遊技機島を構成する遊技機８の１台と接続する。なお、ＰＬＣ子機モデム９と接続する遊技機８の通信ポートは、例えば、ＲＳ２３２ＣＩ／Ｆ等を使用する。また、遊技機８ごとに１台接続するＰＬＣ子機モデム９は、遊技機島の島内隙間であって各遊技機８の筐体から離して遊技機島内の設備として設置するようにする。
【００３６】
また、図２に示すように、島分電盤５の他の分岐点から電力線４ｃを介して接続されたコンセントＣｎ１〜Ｃｎ３、・・・には、ＡＣ１００ＶをＡＣ２４Ｖに変換する変換トランス６を接続する。変換トランス６は、遊技機８の駆動電力となるＡＣ２４Ｖを供給するためのトランスであって、例えば、一つの変換トランス６から４〜５台の遊技機８にＡＣ２４Ｖの駆動電力を電力線４ｄにより供給するようにする。従って、変換トランス６の設置台数は、遊技機島を構成する遊技機８の台数に応じて適切な数とする。
【００３７】
このようにして、島分電盤５と遊技機８を接続する伝送路（電力線４ｃ→通信線１０ｄ）と、島分電盤５から遊技機８に供給する電源線の経路４ｃ→４ｄとは別系統、すなわち、島分電盤５から遊技機８に供給する電源線の経路４ｃ→変換トランス６→４ｄは、バイパス経路を構成するようにしている。
【００３８】
第２の分岐アダプタ７は、伝送路を多数に分岐する手段と、電力線に重畳された高周波信号についてこの多数の分岐に伴う分岐ロスの低減と、伝送路における上り方向及び下り方向のインピーダンスの整合をとるために設けた分岐用のアダプタである。
【００３９】
続いて、図１及び図３に基づいて、島分電盤５を接続しているフロア入口分電盤３ｂ、３ｃ、・・・を、第１の同期信号を伝送するＰＬＣ親機モデム（第１の親機モデム）１３に伝送路を介して接続する手段について説明する。
【００４０】
前記したように、分電盤室（Ｆ）には、各フロアに電源を供給するために多数のフロア入口分電盤３ａ、３ｂ、３ｃ、３ｄ・・・が設置されている。このうち異なる数個のフロア入口分電盤、例えば、フロア入口分電盤３ｂ、３ｃ、・・・等は、各フロア（Ｂ１）と（Ｂ２）に設置された島分電盤５に電源を供給するために使用される。そして、これら島分電盤５に電源を供給するフロア入口分電盤３ｂ、３ｃ、・・・の分岐点に、ＰＬＣ中継機１６のＡＣ１００Ｖ接続ポート（回線側）を電力線４ｅを介して接続する。さらに、ＰＬＣ中継機１６の通信線接続ポートを、通信線１０ｃを介して第１の分岐アダプタ１５の分岐後ポートに接続する。これにより、第１の分岐アダプタ１５の各分岐後ポートにはＰＬＣ中継機１６が接続され、ＰＬＣ中継機１６はフロア入口分電盤３ｂ、３ｃ、・・・等の何れかに接続されることになる。なお、第１及び第２の分岐アダプタ７、１５の構成については、後述する。
【００４１】
さらに、第１の分岐アダプタ１５の分岐前ポートを、通信モードとしたＰＬＣ親機モデム１３の回線側（通信線）ポートと通信線１０ｂを介して接続する。これにより、ＰＬＣ親機モデム１３が発生した第１の同期信号や、後述する店舗サーバ１２等からのＰＬＣ親機モデム１３に送信されたユーザデータは、ＰＬＣ通信の下り方向となるＰＬＣ中継機１６を介してこのＰＬＣ中継機１６の制御配下のＰＬＣ子機モデム９に伝送することが可能になる。また、上り方向であるユーザデータ、すなわち、遊技機８で表示する一般演出情報、遊技機８で発生した大当りに関する情報や、不正行為等の検出信号に係る情報等を、ＰＬＣ子機モデム９からＰＬＣ中継機１６を介してＰＬＣ親機モデム１３に、さらにＰＬＣ親機モデム１３から店舗サーバ１２等に伝送することが可能になる。
【００４２】
一般に、大規模な遊技ホールにおいては、各フロアの状況を監視カメラで監視するためのホール内監視室（Ｄ）が設けられている。また、遊技ホールには、各遊技機８の稼働状況、出玉状況、大当たりの発生回数等に関する情報を把握するためのＬＡＮ１１によるネットワークシステムが構築され、ホール内監視室（Ｄ）には、このＬＡＮに接続された店舗サーバ（ホールコンピュータ）１２やパーソナルコンピュータから構成される端末装置（以下、「ＰＣ端末」という）１９が設置されている。
【００４３】
上記したＰＬＣ通信を用いたネットワークシステムは、この既存のＬＡＮ１１によるネットワークシステムにも接続することができる。このＬＡＮ１１によるネットワークシステムと接続する方法を説明すると、次のようになる。
【００４４】
図１に示すように、第１のＰＬＣ親機モデム１３のイーサネット（登録商標）接続ポートを、第２のＰＬＣ親機モデム１４のイーサネット（登録商標）接続ポートにＬＡＮケーブル１０ａを介して接続する。さらに、第２のＰＬＣ親機モデム１４の電源接続ポートを、フロア入口分電盤３ａから分岐された電力線４ｆと接続する。このフロア入口分電盤３ａは、島分電盤５を接続した分電盤とは異なるフロア入口分電盤であって、ホール内監視室（Ｄ）壁などに配設されたコンセント１７等に、電力線４ｆから分岐させた電力線４ｇによりＡＣ１００Ｖを供給するフロア入口分電盤となっている。
【００４５】
そして、図３に示すように、ホール内監視室（Ｄ）の壁などに既に配設されているコンセント１７にＰＬＣ子機モデム１８のＡＣ１００Ｖポートを接続するとともに、ＰＬＣ子機モデム１８のイーサネット（登録商標）接続ポートをＬＡＮ１１に接続する。
【００４６】
なお、図１（図３）に示すコンセント１７は、第２の親機モデム１４と分電盤３ａとを接続する電力線４ｆから分岐した既設の電力線４ｇからホール内監視室（Ｄ）の壁などに設置された既設のコンセントである。そして、このコンセント１７にＰＬＣ子機モデム１８を接続し、さらに、ＰＬＣ子機モデム１８はホール内のＬＡＮ１１にＬＡＮケーブルを介して接続する。
また、分電盤３ａからコンセント１７を接続する電力線４ｇは、島分電盤と独立していれば、他の分電盤（図３参照）を経由して配信してもよい。また、上記した通信線１０ｂ、１０ｃとしてはツイストペア線、ＬＡＮゲーブル１０ａとしては１００ＢＡＳE−ＴＸ仕様のケーブル線を使用することができる。
【００４７】
なお、上記した第１のＰＬＣ親機モデム１３、第２のＰＬＣ親機モデム１４、第１の分岐アダプタ１５、複数のＰＬＣ中継機１６は、フロア入口分電盤分電盤３ａ、３ｂ、３ｃ、・・・を集中して配置しているフロア分電盤室（Ｆ）に設置する。これにより、これら機器を繋ぐ配線工事が容易になるとともに、配線の長さを短くすることが可能になるので、伝送ロスも低減させることが可能になる。
【００４８】
さらに、ホール内ＬＡＮ１１は、ＷＡＮ２０を介して中央監視センタ（Ｅ）のセンタサーバ２１と接続したシステム構成とすることもできる。なお、センタサーバ２１は、例えば、複数の店舗（遊技ホール）を集中して監視するために設けられている。
【００４９】
［ＰＬＣモデムの構成］
続いて、本発明に用いるＰＬＣモデムの構成例を、図４〜図６に基づいて説明する。図４はＰＬＣ親機モデム１３及び１４についてその基本となる回路構成例を示すブロック図、図５−１は同じくＰＬＣ子機モデム９、図５−２は同じくＰＬＣ子機モデム１８の回路構成例を示すブロック図、図６は同じくＰＬＣ中継機１６の回路構成例を示すブロック図である。
【００５０】
（ＰＬＣ親機モデムの構成）
図４に示すように、ＰＬＣ親機モデム１３（１４）は、イーサネット（登録商標）のＬＡＮケーブル（１００ＢＡＳＥ−ＴＸ）と接続されるイーサＰＨＹ部３１、イーサＭＡＣ部３２、ＰＬＣ・ＭＡＣ部３３、ＰＬＣ・ＴＸ−ＰＨＹ部３４、Ｄ／Ａ変換部３５、ローパスフィルタ（ＬＰＦ）部３６、ドライバ（ＤＶ）部３７、ＡＣ１００Ｖの電力線と接続される回線結合部３８、ゲインスイッチ（ＧＳＷ）部３９、バンドバスフィルタ（ＢＰＦ）部４０、ＡＤ変換部４１、ＰＬＣ・ＲＸ−ＰＨＹ部４２、ＰＬＬ制御部４３、制御部４４、電源部４５、等から構成される。上記した制御部４４は、ＣＰＵ４４ａ、記憶手段となるＲＯＭ４４ｂとＲＡＭ４４ｃから構成される。
【００５１】
なお、上記した制御部４４は、ＲＯＭ４４ｂに記憶されている各種の制御プログラムにより、ＰＬＣ親機モデム１３（１４）の全体の動作の制御とイーサＭＡＣ部３２及びＰＬＣ・ＭＡＣ部３３の動作の制御を行なう。また、電源部４５は、上記した各回路部にＤＣ５Ｖなどの直流電源を供給するためのＡＣ−ＤＣコンバータ等を備えている。
【００５２】
また、上記したイーサＰＨＹ部３１は、送信又は受信データのＰＨＹ層（Physical layer）を管理する回路部である。イーサＭＡＣ部３２は、制御部４４の制御に基づいて送信又は受信データのＭＡＣ層（Media Access Control layer）を管理する回路部、ＰＬＣ・ＭＡＣ部３３は制御部４４の制御に基づいて送信又は受信データについてＰＬＣのＭＡＣ層を管理する回路部である。
【００５３】
また、上記したＰＬＣ・ＴＸ−ＰＨＹ部３４は、ＰＬＣ・ＭＡＣ部３３で処理したデータを送信用のデータとして処理する回路部、Ｄ／Ａ変換部３５は、ＰＬＣ・ＴＸ−ＰＨＹ部３４で処理したデータをＤ／Ａ変換処理を行なう回路部、ＬＰＦ部３６はＤ／Ａ変換部３５で高周波アナログ信号に変換したデータについて、不要帯域を除去するフィルタ回路部である。ＬＰＦ部３６で不要帯域を除去した高周波アナログ信号のデータは、ＤＶ部３７により回線結合部３８に送出され、回線結合部３８により電力線に重畳する処理が行われる。このようにして、ＬＡＮケーブル線（１００ＢＡＳＥ−ＴＸ）からイーサＰＨＹ部３１に入力されたデジタルの信号データは、高周波アナログ信号に変換されて、回線結合部３８からＡＣ１００Ｖを流す電力線に重畳されて送出される。
【００５４】
一方、ＰＬＣ親機モデム１３（１４）において、電力線に重畳された高周波アナログ信号が回線結合部３８に入力されると、回線結合部３８は高周波アナログ信号を分離する処理を行なって、この分離した高周波アナログ信号はＧＳＷ部３９に送出される。ＧＳＷ部３９は、入力された高周波アナログ信号のゲイン調整（増幅処理等）を行なう回路部である。ＧＳＷ部３９でゲイン調整を行なった高周波アナログ信号は、不要帯域の除去を行なうＢＰＦ部４０に送出されて周波数の不要帯域が除去される。ＢＰＦ部４０により不要帯域の除去が行われた高周波アナログ信号は、Ａ／Ｄ変換部４１でデジタル信号に変換する処理が行われる。Ａ／Ｄ変換部４１によりデジタル信号に変換されたデジタル信号は、ＰＬＣ・ＲＸ−ＰＨＹ部４２によりＰＬＣ受信データとしての処理を行なって、ＰＬＣ・ＭＡＣ部３３、イーサＭＡＣ部３２、イーザＰＨＹ部３１を経由してＬＡＮケールの１００ＢＡＳＥ−ＴＸ（１０ａ）に送出される。
【００５５】
また、図４に示すように回線側ポートとなる回線結合部３８は、通信線接続ポートとＡＣ１００Ｖを接続する電力線接続ポートの２系統の端子を備え、内部スイッチによりこれら端子のいずれかを切り替え、又は混在使用することができるようになっている。
【００５６】
なお、ＰＬＣ親機モデム１３のＲＯＭ４４ｂは、次の処理を行なう各種のプログラムを備えている。
１）第１の同期信号を、所定の時間間隔、例えば、１０ｍｓ〜５０ｍｓの間隔で各ＰＬＣ中継機１６に伝送する処理を行なう。この処理は第１の同期信号伝送手段を構成する。各ＰＬＣ中継機１６はこの同期信号を受信すると、直ちにこの同期信号に同期を確立して、第２の同期信号をＰＬＣ中継機１６の制御配下のＰＬＣ子機モデム９に伝送する処理を行なう。
【００５７】
２）サーバ１２等から送信された監視カメラの制御データをＲＡＭ４４ｃに記憶している場合には、ポーリング制御に基づいて、ユーザデータをサーバ１２等から指示されたＰＬＣ子機モデム９に伝送する処理を行なう。この伝送処理においては、ＲＯＭ４４ｂに予め記憶しているポーリングテーブルを参照して、指示されたＰＬＣ子機モデム９にＰＬＣ中継機１６を介してユーザデータを伝送する。また、上り方向のユーザデータであって、ＰＬＣ中継機１６から送信されたユーザデータを受信し、この受信したデータをサーバ１２等に送信するための制御を行なう。
【００５８】
３）ポーリング制御、すなわち、第１の同期信号に同期させてＰＬＣ中継機１６を中継したＰＬＣ子機モデム９に対するポーリング、すなわち、データ伝送の要求を行なうときに、データ伝送の衝突を回避するための制御（送信権の制御）を行なう。このポーリング制御は、例えば、ＰＬＣ親機モデム１３が第１の同期信号をＰＬＣ中継機１６に伝送するとき、この同期信号に、送信権のアドレス情報を付加したビーコン情報（ＢＣ１）をＰＬＣ中継機１６に送信する処理を行なう。このアドレス情報が伝送路の送信権を示す情報になる。
【００５９】
（ＰＬＣ子機モデムの構成）
図５−１に示すＰＬＣ子機モデム９の回路構成は、図４に示すＰＬＣ親機モデム１３（１４）と基本的には同じであるが、端末装置（遊技機８）とシリアル通信を行なうためのＲＳ２３２Ｉ／Ｆ（インタフェース）部４６を備えている。また、回線側となる回線結合部３８は、第２の分岐アダプタ７と通信線１０ｄを介して接続するための端子を備えている。
図５−２に示すＰＬＣ子機モデム１８の回路構成は、図５−１に示すＰＬＣ子機モデム９の回路構成のＲＳ２３２Ｉ／Ｆ（インタフェース）４６をイーサＰＨＹ３１に置き換えた構成としたものである。
【００６０】
なお、ＰＬＣ子機モデム９のＲＯＭ４４ｂは、次の処理を行なうプログラムを備えている。すなわち、ＰＬＣ中継機１６から伝送された第２の同期信号（ビーコンＢＣ２信号）の受信と、同じく、ＰＬＣ中継機１６から伝送されたアドレス情報を受信する処理を行なう。また、ユーザデータをＲＡＭ４４ｃ記憶している場合には、第２の同期信号に同期させて、このユーザデータをＰＬＣ中継機１６に送信する処理を行なう。このユーザデータとは、前記したように、遊技機８で発生した大当りに関する情報や異常検出信号に係る情報等、遊技機８から送信された情報を示す。さらに、前記した店舗サーバ１２からＰＬＣ親機モデム１３等を経由してユーザデータが送信された場合には、このユーザデータを遊技機８に送信する処理を行なう。
さらに、ＰＬＣ子機モデム９に接続されている遊技機８から緊急通報に関する情報が伝送されると、この情報をＰＬＣ中継機１６に送信する処理を行なうプログラムを備えている。
【００６１】
（ＰＬＣ中継機の構成）
図６に示すＰＬＣ中継機１６の回路構成は、図４に示すＰＬＣ親機モデム１３（１４）とほぼ同じであるが、回線側ポートとなる回線結合部３８は通信線と接続するための通信線接続ポートとＡＣ１００Ｖ（電力線）接続ポートの２系統の端子を備え、内部スイッチによりこれら端子の何れかを切り替え、又は混在使用ができるようになっている。
【００６２】
なお、ＰＬＣ中継機１６のＲＯＭ４４ｂは、次の処理を行なう各種のプログラムを備えている。
１）ＰＬＣ親機モデム１３から受信した第１の同期信号（ビーコンＢＣ１信号）を基に同期を確立し、制御配下のＰＬＣ子機モデム９に対して新たな第２の同期信号（ビーコンＢＣ２信号）を送信する処理を行なう。
２）ＰＬＣ子機モデム９から受信したユーザデータをＰＬＣ親機モデム１３に送信する処理を行なう。さらに、ＰＬＣ子機モデム９から受信した緊急通報に係る情報をＰＬＣ親機モデム１３に送信する処理を行なう。
３）ＰＬＣ親機モデム１３から受信した送信権に係る情報（アドレス情報）を、ＰＬＣ子機モデム９に送信する処理を行なう。
【００６３】
［分岐アダプタの構成］
続いて、第１の分岐アダプタ１５、第２の分岐アダプタ７の構成について説明する。従来から、伝送路を分岐する手段として２方向に分岐する高周波トランスが使用されているが、本発明のようにネットワーク上に多数の遊技機８を接続するためには、例えば、伝送路を４分岐以上と多数に分岐する手段を備えた分岐アダプタを用いる必要性が生じる。さらに、このよう分岐アダプタには、下記１）〜３）に記載の要求を満たすための機能を備えている必要がある。
【００６４】
１）伝送路を多数に分岐するので分岐ロスが増大するが、これを最小化する。さらに、双方向のインピーダンス整合をとる。
【００６５】
２）電力線となるＡＣ１００Ｖとも結合可能にするとともに、高周波トランスから構成された分岐アダプタを実現する場合には、一次と対地間、および一次と二次間の絶縁が確保される構成にする。さらに、分岐アダプタの分岐後ポートの全てにＰＬＣモデム（又はＰＬＣ中継機）が接続されている場合と、この分岐後ポートの一部にＰＬＣモデム（又はＰＬＣ中継機）が接続されていない場合とで、終端抵抗が自動的あるいは手動で開放又は接続可能となる構成にして、上記した双方向（下り方向と上り方向）のインピーダンスの整合がとれるような構成にする。
【００６６】
３）最大２４００台という多数の遊技機を接続するネットワークであるため、１本の伝送路を、最大１６分岐を行なうことができるような多分岐可能な構成にする。
【００６７】
本発明に採用している第１及び第２の分岐アダプタ１５、７は、フェライトコアから構成される高周波用小型トランス素子の複数個を、ブリッジ構成の回路を形成するように多重構造とした構成からなる分岐アダプタを使用することができる。
【００６８】
図７は、本発明のシステムに採用している分岐アダプタ１５（７）について、４分岐の構成とした回路構成例を示している。なお、図７に示す各高周波トランス素子は１ｃｍ３程度の小型形状に製造することが可能であり、さらに、これら複数の高周波トランス素子を基板に配置して回路を形成することにより、一つの分岐アダプタをユニット化することができる。
【００６９】
図７に示す分岐アダプタは、５個のトランス素子（５１−１）〜（５１−５）を、ブリッジ構造からなる回路を形成するように接続して、４分岐の出力端子（分岐後ポート）を備えた構成としたものである。図７に示す分岐アダプタの実施形態は、図１に示す第２の分岐アダプタ７等として使用した例を示すものであって、４個のトランス素子（５１−２）〜（５１−５）のそれぞれの一次側となる分岐後ポートにＰＬＣ子機モデム９を接続している。
【００７０】
図７に示す４分岐の分岐アダプタの構成は、次のようになっている。すなわち、分電盤５の一つの分岐端子に、この分岐アダプタを構成するトランス素子（５１−１）の一次側を分岐前ポートとして接続する。そして、このトランス素子（５１−１）の二次側の一つを、トランス素子（５１−２）とトランス素子（５１−４）の二次側の一つを結ぶ導線に連結点５２ａとして接続する。また、トランス素子（５１−１）の他の二次側を、トランス素子（５１−３）とトランス素子（５１−５）の一つの二次側を結ぶ導線に連結点５２ｂとして接続する。
【００７１】
さらに、トランス素子（５１−２）とトランス素子（５１−４）の他の二次側と、トランス素子（５１−３）とトランス素子（５１−５）の他の二次側とをそれぞれ連結点５３ａ、５３ｂとして接続するとともに、連結点５３ａと５３ｂとを５０Ωの抵抗５４を介して接続する。また、島分電盤５と接続するトランス素子（５１−１）の一次側にはコンデンサ５５を接続し、トランス素子（５１−２）〜（５１−５）の一次側もコンデンサ５５を介してＰＬＣ子機モデム９を接続する。
【００７２】
図７に示す構成の分岐アダプタにおいて、トランス素子（５１−１）の一次側を分岐前ポートとして、ＡＣ１００Ｖを供給する島分電盤５からの電力線４ｂと接続しても、コンデンサ５５によりＡＣ１００Ｖはカットされて伝送データとなる高周波信号のみが分岐アダプタ内を流れるので、分岐によるロスが低減される。さらに、ブリッジ構成となるようにトランス素子（５１−１）〜（５１−５）を接続しているので、分岐アダプタを構成するトランス素子（５１−２）〜（５１−５）の二次側及びトランス素子（５１−１）の一次側は、いずれも上り方向と下り方向のインピーダンスが同一、すなわち、伝送路の下り及び上り方向の双方においてインピーダンスの整合をとることができる。これにより、伝送路を４つに分岐しても分岐におるロスを最小化させることが可能になる。また、各トランス素子（５１−１）〜（５１−５）の一次側にコンデンサ５５を接続し、これら一次側を外部機器等と接続する構成としているのでトランスの一次二次間絶縁と、分岐アダプタの耐圧を確保することが可能になる。
【００７３】
図８は、図７に示す分岐アダプタにおいて、トランス素子の一次側のいずれか、例えばトランス素子（５１−５）にＰＬＣ子機９を接続する必要がない場合に、トランス素子（５１−５）の一次側に５０Ωの終端抵抗５６を接続して上記したインピーダンスの整合をとるようにした例を示している。
なお、図７に示すブリッジ構造からなる回路を一つのユニットとして、このユニットの４つを、さらにブリッジ構造を形成するように配置することにより、１６分岐の分岐アダプタを製作することができる。
【００７４】
［フロア入口分電盤とＰＬＣ中継機１６との接続］
続いて、ＰＬＣ中継機１６と、フロア入口等に設置されているフロア入口分電盤３ｂ等とを電力線４を介して接続する方法を、図９及び図１０に基づいて説明する。
【００７５】
図９に示すように、屋上の分電盤２からフロア入口分電盤３ｂには、一般に１本の中性線Ｌ０と１００Ｖの電位差がある電線Ｌ１、Ｌ２とで構成される単相３線で配線されているので、単相３線には図９に示すようにＡ相とＢ相が形成される。このため、ＰＬＣ親機モデム１３→第１の分岐アダプタ１５→ＰＬＣ中継機１６→フロア入口分電盤３ｂ→島分電盤５→第２の分岐アダプタ７→ＰＬＣ子機モデム９へと、通信線１０ｂ、１０ｃ、１０ｄや電力線４ｅ、４ｂ、４ｃを介した伝送路に多数設置されるＰＬＣ子機モデム９は、配線工事において互いに異なるＡ相とＢ相に接続されたＰＬＣ子機モデム９が混在する可能性が生じる。このように、異なるＡ相とＢ相に接続されたＰＬＣ子機モデム９が存在すると逆相ロスが発生するので、特定のＰＬＣ子機モデム９は通信不能になる現象が発生する場合がある。そこで、本発明においては、ＰＬＣ中継機１６とフロア入口分電盤３ｂとの接続構造は、図９に示すような構成にしている。
【００７６】
図９は、フロア入口分電盤３ｂを例えば３２分岐の構成とした例、すなわち、片側のＡ相と他の側のＢ相をそれぞれ１６分岐として、各分岐にはブレーカが配置されるとともに２線で配線された構成を示している。そして、このような３２分岐構成のフロア入口分電盤３ｂを用いた場合に、フロア入口分電盤３ｂにおけるＡ相（同相）とＢ相（逆相）のそれぞれの分岐の中点、又は中点近くにＰＬＣ中継機１６の電力線接続ポートを接続するようにする。なお、上記したＡ相（同相）とＢ相（逆相）のそれぞれの分岐の中点又は中点近くとは、図９において、Ａ相側に配置した１６個の分岐点の配列の中央に位置する分岐点となるブレーカ（ａ８）又は図示していないブレーカ（ａ９）の位置と、Ｂ相側に配置した１６個の分岐点の配列の中央に位置する分岐点となるブレーカ（ｂ８）又は図示していないブレーカ（ｂ９）の位置、すなわち、Ａ相側に配列された分岐点の中央部又中央部近傍、Ｂ相側に配列された分岐点の中央部又中央部近傍に配置された分岐点を示す。
【００７７】
このように、フロア入口分電盤３ｂのＡ相（同相）とＢ相（逆相）のそれぞれの分岐の中点、又は中点近くにＰＬＣ中継機１６の電力線接続ポートを接続すると、フロア入口分電盤３ｂの分岐ロスを最小化することが可能になり、かつ、ＰＬＣ中継機１６と電力線を介して接続されるＰＬＣ子機モデム９は、同相と逆相とが接続されたＰＬＣ子機モデム９が混在すること（逆相接続）がなくなるので、逆相接続に伴うロスをなくすることが可能になる。
【００７８】
ＰＬＣ中継機１６の電力線接続ポートを、フロア入口分電盤３ｂのＡ相（同相）とＢ相（逆相）のそれぞれの分岐の中点、又は中点近くに接続すると、フロア入口分電盤３ｂの分岐ロスを最小化することが可能になる理由は次の通りである。
【００７９】
例えば、ＰＬＣ中継機１６の電力線接続ポートをフロア入口分電盤３ｂの一方の分岐の端部に位置するブレーカ（ａ１）に接続すると、他のブレーカ（ａ２）〜（ａ１６）の一つ又は複数は島（遊技機島）分電盤５に接続される。従って、ＰＬＣ中継機１６を流れた高周波信号はブレーカ（ａ１）からフロア入口分電盤３ｂ内のＡ相の他のブレーカ（ａ２）〜（ａ１６）方向に順次流れていくが、ブレーカ（ａ２）から（ａ１６）方向に流れるに従って分岐ロスが大きくなる。従って、ブレーカ（ａ２）とブレーカ（ａ１６）とを経由して接続されたＰＬＣ子機モデム９には、その分岐ロスの差の影響が生じることになる。
【００８０】
同様に、ＰＬＣ中継機１６をフロア入口分電盤３ｂの他の分岐の端部に位置するブレーカ（ａ１６）に接続した場合にも、上記と同様に、ブレーカ（ａ１５）とブレーカ（ａ１）に接続されたＰＬＣ子機モデム９にはその分岐ロスの差の影響が生じることになる。
従って、ＰＬＣ中継機１６をフロア入口分電盤３ｂのＡ相（同相）とＢ相（逆相）のそれぞれの分岐の中点、又は分岐の中点近くに接続すると、この中点、又は中点近くの分岐点から他のブレーカに流れる高周波信号の分岐ロスの差は、フロア入口分電盤３ｂの分岐の端部に接続した場合と比較して小さくなる。これにより、ＰＬＣ中継機１６をフロア入口分電盤３ｂのＡ相（同相）とＢ相（逆相）のそれぞれの分岐の中点、又は中点近くに接続すると、ＰＬＣ子機モデム９へのフロア分電盤３ｂによる分岐ロスによる影響を少なくできるとともに、ＰＬＣ子機モデム９ごとの分岐ロスの差を小さくすることができるからである。
【００８１】
図１０は、１６分岐のフロア入口分電盤３ｂを３線で配線する場合の例を示している。図１０に示す実施形態においても、上記した図９に基づいて説明したように、１６分岐の中点、又は中点近くのブレーカ（８）にＰＬＣ中継機１６の電力線接続ポートを接続する。
【００８２】
［第２の分岐アダプタ７と島分電盤５との接続］
続いて、フロアの各遊技機島に設置する第２の分岐アダプタ７と島分電盤５との接続方法を、図１１及び図１２に基づいて説明する。
第２の分岐アダプタ７と島分電盤５との接続は、この島分電盤５から配線されて遊技機島内に設置したコンセントのうち、島分電盤５から最も近い位置に配置されたコンセントに第２の分岐アダプタ７の入力側（分岐前ポート）を接続することが望ましい。図１１は、２線配線により、１６分岐の島分電盤５から最も近い位置に配置されたコンセントに電力を供給する電力線４（ブレーカ（１）に接続された電力線４ｃ）に第２の分岐アダプタ７の分岐前ポートを接続した例を示している。一方、図１２は、３線配線により、３２分岐（片側１６分岐）の島分電盤５から最も近い位置に配置されたコンセントに電力を供給する電力線４（ブレーカ（ａ１）とブレーカ（ｂ１）に接続された電力線）の双方に、第２の分岐アダプタ７の分岐前ポートをそれぞれ接続した例を示している。
【００８３】
図１１及び図１２に示すように、島分電盤５から配線された島内のコンセント（図２に示すコンセントＣｎ１、Ｃｎ２等）であって、島分電盤５から最も近い位置に配置されたコンセントに第２の分岐アダプタ７の分岐前ポートを接続することにより、伝送路の距離が短くなるので島内の分岐ロスを最小化できるとともに、逆相ロスもなくすることが可能になる。なお、遊技機島に分電盤を設置する必要がない場合には、フロアの分電盤３ｂから分岐して島入口等に設置したコンセントに第２の分岐アダプタ７を接続する。
【００８４】
以上に説明した本発明に係るＰＬＣ通信を用いたネットワークシステムにおける伝送路の接続構造は、大規模な遊技ホールに設置されたＰＬＣ通信を用いたネットワークシステムを例にして説明したが、本発明は、遊技ホールの他に、多数の生産設備やパーソナルコンピュータが配置されている製造現場の生産ライン、多数の測定機器やパーソナルコンピュータが配置されている病院、学校、あるいは研究所等に設置されるＰＬＣ通信を用いたネットワークシステムの伝送路にも適用することができる。
【図面の簡単な説明】
【００８５】
【図１】本発明のＰＬＣ通信を用いたネットワークシステムにおける伝送路の接続構造を実施するためのネットワークシステムについて、そのシステム構成例を説明するための図である。
【図２】図１において、受電設備からフロア入口分電盤までの電力線の経路と、このフロア入口分電盤から遊技機までの伝送路の経路例を説明するための図である。
【図３】図１に示すシステム構成を、３階建ての遊技ホールに適用したときのネットワークの構成例を説明するための図である。
【図４】図１に示すＰＬＣ親機モデムについて、その制御回路の構成例を示すブロック図である。
【図５−１】同じく、図１に示す遊技機を接続しているＰＬＣ子機モデムについて、その制御回路の構成例を示すブロック図である。
【図５−２】同じく、図１に示すホール内ＬＡＮに接続しているＰＬＣ子機モデムについて、その制御回路の構成例を示すブロック図である。
【図６】同じく、図１に示すＰＬＣ中継機について、その制御回路の構成例を示すブロック図である。
【図７】同じく、図１に示す分岐アダプタについて、４分岐の分岐アダプタの回路構成例を示す図である。
【図８】図７に示す４分岐の分岐アダプタについて、その使用例を説明するための図である。
【図９】同じく、図１に示すフロア入口分電盤とＰＬＣ中継機との接続方式を説明するための図である。
【図１０】同じく、図１に示すフロア入口分電盤とＰＬＣ中継機との接続方式について、他の接続方式を説明するための図である。
【図１１】同じく、図１に示す島分電盤と第２の分岐アダプタとの接続方式を説明するための図である。
【図１２】同じく、図１に示す島分電盤と第２の分岐アダプタとの接続方式について、他の接続方式を説明するための図である。
【符号の説明】
【００８６】
２  ：分電盤
３ａ、３ｂ、３ｃ、・・・：フロア入口分電盤
４ａ、４ｂ、４ｃ、４ｄ、４ｅ、４ｆ、４ｇ：電力線
５：島分電盤
６：変換トランス 
７：第２の分岐アダプタ
８：端末装置（遊技機）
９：ＰＬＣ子機モデム
１０ｂ、１０ｃ、１０ｄ：通信線
１０ａ：ＬＡＮケーブル
１１：ホール内ＬＡＮ
１２：サーバ（店舗サーバ）
１３：ＰＬＣ親機モデム
１４：第２のＰＬＣ親機モデム
１５：第１の分岐アダプタ
１６：ＰＬＣ中継機
１７：コンセント
２１：センタサーバ
４４：制御部
４４ａ：ＲＯＭ
５１−１、５１−２、５１−３、・・・：高周波トランス素子
５５：コンデンサ
【図１】
2010028563.tif 000003
【図２】
2010028563.tif 000004
【図３】
2010028563.tif 000005
【図４】
2010028563.tif 000006
【図５−１】
2010028563.tif 000007
【図５−２】
2010028563.tif 000008
【図６】
2010028563.tif 000009
【図７】
2010028563.tif 000010
【図８】
2010028563.tif 000011
【図９】
2010028563.tif 000012
【図１０】
2010028563.tif 000013
【図１１】
2010028563.tif 000014
【図１２】
2010028563.tif 000015